(57)【要約】【課題】パケット式無線アクセスにおいて再送時の送信電力制御を行うことにより、他セルとの干渉を低減することを目的とする。【解決手段】パケット式無線アクセスにおいて送信電力制御を行うユーザ端末と、基地局とを有する通信システムにおける送信電力制御方法は：ユーザ端末が、パケットを送信するパケット送信ステップ（Ｓ１０３）；パケットが他セルからのパケットである場合に、基地局が、パケットによる干渉が所定の閾値以上であるかを測定する干渉レベル測定ステップ（Ｓ１０５）；基地局が、干渉の測定結果に基づいて、ユーザ端末の送信電力を制御するための送信電力制御情報を生成し、ユーザ端末に送信するＧｒａｎｔ送信ステップ（Ｓ１０７）；ユーザ端末が、パケットの再送パケットを送信するときに、送信電力制御情報に基づいて送信電力を制御するか否かを判定する送信電力判定ステップ（Ｓ１０９）；を有する【選択図】図７
2008092376.tif 000002
【特許請求の範囲】
【請求項１】
パケット式無線アクセスにおいて送信電力制御を行うユーザ端末と、基地局とを有する通信システムにおける送信電力制御方法であって：
前記ユーザ端末が、パケットを送信するパケット送信ステップ；
前記パケットが他セルからのパケットである場合に、前記基地局が、前記パケットによる干渉が所定の閾値以上であるかを測定する干渉レベル測定ステップ；
前記基地局が、前記の干渉の測定結果に基づいて、前記ユーザ端末の送信電力を制御するための送信電力制御情報を生成し、前記ユーザ端末に送信するＧｒａｎｔ送信ステップ；及び
前記ユーザ端末が、前記パケットの再送パケットを送信するときに、前記送信電力制御情報に基づいて送信電力を制御するか否かを判定する送信電力判定ステップ；
を有する送信電力制御方法。
【請求項２】
前記ユーザ端末が、セルサーチを行い、自セルを除く信号受信レベルの高い所定数のセルをＮｏｎ−ｓｅｒｖｉｎｇセルとするＮｏｎ−ｓｅｒｖｉｎｇセル決定ステップ；
を更に有し、
前記送信電力判定ステップは、前記Ｎｏｎ−ｓｅｒｖｉｎｇセルからの送信電力制御情報に基づいて送信電力を制御するか否かを判定することを特徴とする、請求項１に記載の送信電力制御方法。
【請求項３】
前記パケット送信ステップは、前記ユーザ端末が開ループ送信電力制御によって送信電力を決定し、パケットを送信することを特徴とする、請求項１に記載の送信電力制御方法。
【請求項４】
前記パケット送信ステップは、
前記ユーザ端末と通信する基地局が、自セル内での干渉マージンを考慮して送信電力を決定し、前記ユーザ端末に通知するステップ；及び
前記ユーザ端末が、通知された送信電力でパケットを送信するステップ；
を有することを特徴とする、請求項１に記載の送信電力制御方法。
【請求項５】
前記パケット送信ステップは、
前記ユーザ端末と通信する基地局が、自セル内での干渉マージン及び他セルでの干渉マージンを考慮して送信電力を決定し、前記ユーザ端末に通知するステップ；及び
前記ユーザ端末が、通知された送信電力でパケットを送信するステップ；
を有することを特徴とする、請求項１に記載の送信電力制御方法。
【請求項６】
前記干渉レベル測定ステップは、パイロット信号で用いられるＣＡＺＡＣ系列の種別に基づいて、他セルに属するユーザ端末からの干渉電力を測定することを特徴とする、請求項１に記載の送信電力制御方法。
【請求項７】
前記送信電力制御情報は、
ＣＡＺＡＣ系列；
周波数ブロック；及び
送信電力を下げるか否かを示す情報；
を有することを特徴とする、請求項１に記載の送信電力制御方法。
【請求項８】
ＯＦＤＭ無線アクセスの場合に、前記Ｇｒａｎｔ送信ステップは、前記送信電力制御情報を所定のサブキャリアに周波数多重して送信することを特徴とする、請求項１に記載の送信電力制御方法。
【請求項９】
パケット式無線アクセスにおいて送信電力制御を行うユーザ端末であって：
セルサーチを行い、自セルを除く信号受信レベルの高い所定数のセルをＮｏｎ−ｓｅｒｖｉｎｇセルと決定するＮｏｎ−ｓｅｒｖｉｎｇセル決定部；
前記Ｎｏｎ−ｓｅｒｖｉｎｇセルから通知される送信電力制御情報を受信し、送信電力を制御するか否かを判定するＧｒａｎｔ判定部；及び
前記送信電力制御情報に基づいて再送パケットの送信電力を制御する送信電力判定部；
を有するユーザ端末。
【請求項１０】
パケット式無線アクセスにおいて送信電力制御を行うユーザ端末と通信する基地局であって：
他セルに属するユーザ端末からのパケットによる干渉が所定の閾値以上であるかを測定する干渉レベル測定部；及び
前記の干渉の測定結果に基づいて、他セルに属するユーザ端末の送信電力を制御するための送信電力制御情報を生成するＧｒａｎｔ生成部；
を有する基地局。
【発明の詳細な説明】
【技術分野】
【０００１】
本発明は、送信電力制御方法、ユーザ端末及び基地局に関する。
【背景技術】
【０００２】
移動通信システムでは、通信中の各チャネルは、他通信チャネルからの干渉及び自通信チャネルのマルチパスからの干渉を受ける。したがって、この干渉がシステムの加入者容量を制限する。従って、個々のチャネルが所要品質を満たす範囲で、できる限り電力を低くして送信される。
【０００３】
Ｗ−ＣＤＭＡ（Wideband  Code  Division  Multiple  Access）及びその発展版のＥ−ＤＣＨ（Enhanced  Dedicated  Channel）で用いられる送信電力制御の１つとして、閉ループ送信電力制御がある。閉ループ送信電力制御では、上りリンクの送信電力制御では、基地局が通信チャネルの品質測定を行い、その品質結果より、受信中のチャネルが所望の品質を満たすように、送信電力制御ビットを折り返しのチャネル（ＤＰＣＣＨ：Dedicated  Physical  Control  Channel）を用いて伝送する。Ｗ−ＣＤＭＡ及びＥ−ＤＣＨでは、各ユーザ端末（ＵＥ）は個別チャネルを通じて送信し、同時に複数ＵＥが基地局と通信する。このため、隣接セルから基地局に与える影響は、統計多重効果によって平均化されている。したがって、他セル干渉の変動は小さいため、各ユーザの受信品質に応じた制御のみを行う。このような閉ループ送信電力制御によって、他セルとの干渉を制御することが可能になる（非特許文献１参照）。
【非特許文献１】Ｗ−ＣＤＭＡ移動通信方式、立川敬二監修、平成１４年３月１５日第４刷発行、１２６〜１２７ページ
【発明の開示】
【発明が解決しようとする課題】
【０００４】
Ｗ−ＣＤＭＡ及びＥ−ＤＣＨでは、上りリンクの通信が常に個別チャネルで行われる。このときの干渉レベルを図１に示す。図１では、３つのユーザ端末（ＵＥ１、ＵＥ２及びＵＥ３）がセル１の基地局（ＢＳ）と通信している。３つのユーザ端末は、通信中に常に送信を行っている。この３つのユーザ端末からの送信電力は、セル２の基地局にとって干渉となる。しかし、セル２における干渉レベルは３ユーザ端末からの信号の合計値になるため、１ユーザの変動が全体の干渉レベルに与える影響は小さい。このような統計多重効果が得られるため、全体の干渉レベルの変動量は小さく、変動が小さいことを前提とした、自セル内のみの閉ループ送信電力制御を行うことで、送信電力制御を正しく動作させることができる。
【０００５】
しかし、３ＧＰＰ（3rd  Generation  Partnership  Project）で検討されているＥ−ＵＴＲＡ（Evolved  UTRA）ではパケット式無線アクセスを前提としている。このようなパケット式無線アクセスでは、チャネル状態を測定して最適のユーザに無線リソースを割り当てることによってセルスループットを増大することができる。従って、例えば、ある時間にはセル境界に近いＵＥ１が送信し、ある時間にはセル境界から離れたＵＥ２が送信する。このときの干渉レベルを図２に示す。セル境界に近いＵＥ１が送信する場合には、セル２での干渉レベルは大きくなり、セル境界から離れたＵＥ２が送信する場合には、セル２での干渉レベルは小さくなる。このように、パケット式無線アクセスでは、ＴＴＩ（Transmission  Time  Interval）毎に送信するユーザ端末が変わるため、自セル内での送信電力制御だけでは干渉の制御が難しくなる。
【０００６】
一方、Ｅ−ＵＴＲＡの上りリンクでの再送制御は、Ｓｙｎｃ  ＡＲＱ（Synchronous  Automatic  Repeat  reQuest）で行われる。すなわち、予め既知のタイミングで再送が行われる。例えば図３に示すように、初回送信パケット送信に誤りが検出された場合、予め既知のタイミングとして６ＴＴＩ後に再送パケットが送信される。
【０００７】
上記のように、パケット式無線アクセスでは干渉の制御が難しくなるが、初回送信パケットのときに他セルに与える影響がわかれば、そのパケットの再送時の送信電力制御は可能になる。
【０００８】
従って、本発明は、パケット式無線アクセスにおいて再送時の送信電力制御を行うことにより、他セルとの干渉を低減することを目的とする。
【課題を解決するための手段】
【０００９】
本発明の前記の目的は、
パケット式無線アクセスにおいて送信電力制御を行うユーザ端末と、基地局とを有する通信システムにおける送信電力制御方法であって：
前記ユーザ端末が、パケットを送信するパケット送信ステップ；
前記パケットが他セルからのパケットである場合に、前記基地局が、前記パケットによる干渉が所定の閾値以上であるかを測定する干渉レベル測定ステップ；
前記基地局が、前記の干渉の測定結果に基づいて、前記ユーザ端末の送信電力を制御するための送信電力制御情報を生成し、前記ユーザ端末に送信するＧｒａｎｔ送信ステップ；及び
前記ユーザ端末が、前記パケットの再送パケットを送信するときに、前記送信電力制御情報に基づいて送信電力を制御するか否かを判定する送信電力判定ステップ；
を有する送信電力制御方法、により解決することができる。
【００１０】
また、本発明の前記の目的は、
パケット式無線アクセスにおいて送信電力制御を行うユーザ端末であって：
セルサーチを行い、自セルを除く信号受信レベルの高い所定数のセルをＮｏｎ−ｓｅｒｖｉｎｇセルと決定するＮｏｎ−ｓｅｒｖｉｎｇセル決定部；
前記Ｎｏｎ−ｓｅｒｖｉｎｇセルから通知される送信電力制御情報を受信し、送信電力を制御するか否かを判定するＧｒａｎｔ判定部；及び
前記送信電力制御情報に基づいて再送パケットの送信電力を制御する送信電力判定部；
を有するユーザ端末、によっても解決することができる。
【００１１】
更に、本発明の前記の目的は、
パケット式無線アクセスにおいて送信電力制御を行うユーザ端末と通信する基地局であって：
他セルに属するユーザ端末からのパケットによる干渉が所定の閾値以上であるかを測定する干渉レベル測定部；及び
前記の干渉の測定結果に基づいて、他セルに属するユーザ端末の送信電力を制御するための送信電力制御情報を生成するＧｒａｎｔ生成部；
を有する基地局、によっても解決することができる。
【発明の効果】
【００１２】
本発明の実施例によれば、パケット式無線アクセスにおいて再送時の送信電力制御を行うことにより、他セルとの干渉を低減することを目的とする。
【発明を実施するための最良の形態】
【００１３】
本発明の実施例について、図面を参照して以下に詳細に説明する。
【００１４】
＜Ｎｏｎ−ｓｅｒｖｉｎｇセルの決定＞
ユーザ端末は、データ通信を行う基地局をセルサーチによって決定する。ユーザ端末が初期セルサーチをしたときに、リファレンス信号（パイロット信号）の受信レベルを測定し、最も受信レベルの高いセルをＳｅｒｖｉｎｇセル（自セル）と決定する。また、自セルを除いて、Ｎ番目までのリファレンス信号の受信レベルが大きいセルを選択し、Ｎｏｎ−ｓｅｒｖｉｎｇセルと決定する（Ｎはシステムで予め決められた値である）。このＮｏｎ−ｓｅｒｖｉｎｇセルは、通信中の周辺セルサーチの際に、追加、削除等の修正が行われても良い。
【００１５】
図４は、ユーザ端末が決定したＳｅｒｖｉｎｇセルとＮｏｎ−ｓｅｒｖｉｎｇセルとを示す図である。図４では、ＵＥ１は、１つのＳｅｒｖｉｎｇセル（セル１）と、２つのＮｏｎ−ｓｅｒｖｉｎｇセル（セル４及びセル２）を選択している。
【００１６】
なお、Ｅ−ＵＴＲＡではソフトハンドオーバを行わないが、このＮｏｎ−ｓｅｒｖｉｎｇセルは、Ｗ−ＣＤＭＡにおけるソフトハンドオーバの役目をするセルに相当する。
【００１７】
前記のように、従来の閉ループ送信制御では自セルからの送信電力制御情報のみによってユーザ端末の送信電力が制御される。これに対して、本発明の実施例では、ＳｅｒｖｉｎｇセルとＮｏｎ−ｓｅｒｖｉｎｇセルとを定義し、Ｓｅｒｖｉｎｇセルだけでなく、Ｎｏｎ−ｓｅｒｖｉｎｇセルからの送信電力制御情報によってユーザ端末の送信電力が制御される。以下にＮｏｎ−ｓｅｒｖｉｎｇセルによる送信電力制御手順を詳細に説明する。
【００１８】
＜送信電力制御手順＞
図５及び図６を参照して、送信電力の制御手順について説明する。図５は、ユーザ端末からの初回送信パケットに基づいてＮｏｎ−ｓｅｒｖｉｎｇセルが干渉電力を測定する手順を示す図である。図６は、Ｎｏｎ−ｓｅｒｖｉｎｇセルからの通知に従って再送パケットの送信電力を制御する手順を示す図である。
【００１９】
まず、Ｓｅｒｖｉｎｇセルの基地局は、下りリンクの制御チャネルにより、ユーザ端末ＵＥ１に初回送信パケットを送信するときの初期送信電力を通知する（Ｓ１０１）。なお、ユーザ端末自体が初期送信電力を決定してもよく（開ループ送信電力制御）、このときには、Ｓ１０１はユーザ端末内で行われる。ユーザ端末ＵＥ１は、通知された初期送信電力でパケットを送信する（Ｓ１０３）。Ｎｏｎ−ｓｅｒｖｉｎｇセルの基地局は、このときの干渉電力を測定する（Ｓ１０５）。具体的には、他セルの上りリンクの共有データチャネルによる干渉が、自セルの共有データチャネルの復調・復号に悪影響を及ぼす閾値以上であるか否かを判定する。
【００２０】
干渉が閾値以上の場合には、Ｎｏｎ−ｓｅｒｖｉｎｇセルの基地局は、他セルのユーザ端末ＵＥ１に対して、送信電力を下げることを示すＤＯＷＮ信号を送信する。ただし、干渉が閾値未満の場合には、Ｎｏｎ−ｓｅｒｖｉｎｇセルの基地局は、他セルのユーザ端末ＵＥ１に対して、送信電力を維持することを示すＤＴＸ信号を送信する（Ｓ１０７）。ここでは、ユーザ端末に対して送信電力を制御するための情報を送信電力制御情報（Ｒｅｌａｔｉｖｅ  Ｇｒａｎｔ）と呼ぶ。送信電力制御情報には、送信電力を下げることを示すＤＯＷＮ信号と、送信電力を維持することを示すＤＴＸ信号が含まれる。
【００２１】
一方、Ｓｅｒｖｉｎｇセルの基地局は、パケットを受信して誤りを検出し、必要に応じてユーザ端末ＵＥ１に再送要求を送信する。再送要求を受信したユーザ端末ＵＥ１は、Ｎｏｎ−ｓｅｒｖｉｎｇセルから少なくとも１つのＤＯＷＮ信号を受信している場合には、再送パケットの送信電力を予め決められたステップサイズだけ下げて再送パケットを送信する（Ｓ１０９）。
【００２２】
再送パケットの再送が行われるときには、更に上記の手順が繰り返され、再送パケットの送信電力が制御される。
【００２３】
＜初期送信電力の決定方法＞
図５のＳ１０１について更に詳細に説明する。
【００２４】
初期送信電力の決定方法として、以下の３つの方法が考えられる。
【００２５】
（１）ユーザ端末が開ループ送信電力制御によって送信電力を決定する。
【００２６】
例えば、ユーザ端末が下りリンクのパイロットチャネルを用いた受信レベルの測定結果により、基地局から遠いと判断した場合にはユーザ端末が送信電力を上げ、近いと判断した場合にはユーザ端末が送信電力を下げる。
【００２７】
（２）Ｓｅｒｖｉｎｇセルが受信信号から測定した干渉電力に基づき、自セルの干渉マージン（Intra-Interference）を考慮して送信電力を決定する。
【００２８】
例えば、基地局が自セル内での干渉マージンを考慮しつつ、ユーザ端末が所望の受信品質を満たす送信電力を決定する。
【００２９】
（３）Ｓｅｒｖｉｎｇセルが自セルの干渉マージン及び周辺セルの干渉マージンを考慮して送信電力を決定する。
【００３０】
例えば、各セルは、自セルの干渉マージンを周辺セルに所定の時間周期で通知する。これにより、Ｓｅｒｖｉｎｇセルは、送信電力制御によって他セルに与える干渉の平均的な予測値を得ることができ、これを考慮しつつ、ユーザ端末が所望の受信品質を満たす送信電力を決定する。
【００３１】
なお、これらの初期送信電力の決定方法は、基本的にはユーザ端末と自セル内の基地局との情報交換によって行われるものであり、（３）を用いる場合でも、他セルに与える干渉は、平均的な予測値を考慮することができるに過ぎない。従って、セル境界のユーザ端末がデータ送信を行うときに他セルに与える干渉が大きくなる。このような場合に再送が生じると、図５及び図６を参照して説明した送信電力制御手順を用いることによって送信電力が最適化される。
【００３２】
＜Ｎｏｎ−ｓｅｒｖｉｎｇセルにおける干渉電力の測定＞
図５のＳ１０５について更に詳細に説明する。
【００３３】
各セルは、パイロット信号で用いられるＣＡＺＡＣ系列の種別が予め割り当てられる。例えば、セル１ではＣＡＺＡＣ系列のＸ，Ｘ＋１，Ｘ＋２番が使用され、セル２ではＣＡＺＡＣ系列のＹ，Ｙ＋１，Ｙ＋２番が使用されることがシステム情報として予め決められる。このようなＣＡＺＡＣ系列の情報はセル間の有線伝送路による情報交換によって各セルに通知されてもよい。
【００３４】
周辺セルで使用されるＣＡＺＡＣ系列がわかると、各セルは、周辺セルの移動局から受信したパイロット信号の受信電力を測定することができる。このように、Ｎｏｎ−ｓｅｒｖｉｎｇセルとして、各ＴＴＩの各周波数ブロックにおける干渉レベルを測定することが可能になる。なお、ＴＴＩはサブフレームと呼ばれることもあり、周波数ブロックはリソースブロックと呼ばれることもある。
【００３５】
＜送信電力制御情報（Ｒｅｌａｔｉｖｅ  Ｇｒａｎｔ）の認識方法＞
図６のＳ１０７について、図７を参照して更に詳細に説明する。図７は、送信電力制御手順を時間軸上に示す図である。
【００３６】
前記のように、Ｓｅｒｖｉｎｇセルの基地局が送信電力を決定してユーザ端末ＵＥ１に通知する（Ｓ１０１）。ユーザ端末ＵＥ１は、通知された初期送信電力でパケットを送信する（Ｓ１０３）。Ｎｏｎ−ｓｅｒｖｉｎｇセルの基地局は、このときの干渉電力を測定し（Ｓ１０５）、送信電力制御情報を送信する（Ｓ１０７）。一方、Ｓｅｒｖｉｎｇセルの基地局は、パケットを受信して誤りを検出し（Ｓ１０６）、必要に応じてユーザ端末ＵＥ１に再送要求を送信する（Ｓ１０８）。再送要求を受信したユーザ端末ＵＥ１は、Ｎｏｎ−ｓｅｒｖｉｎｇセルから少なくとも１つのＤＯＷＮ信号を受信した場合には、再送パケットの送信電力を予め決められたステップサイズだけ下げて再送パケットを送信する（Ｓ１０９）。
【００３７】
このとき、上りリンクの共有データチャネルの送信時間と、これに対してＮｏｎ−ｓｅｒｖｉｎｇセルが送信電力制御情報を送信する時間との間隔（Ｔ１）は、予め決定されていることを仮定する。前記のように、Ｓｙｎｃ  ＡＲＱでは、初期送信パケットの送信時間と再送パケットの送信時間との間隔（Ｔ２）も、予め決定されている。従って、下りリンクで送信電力制御情報を受信する時間と再送パケットを送信する時間との間隔も決まる。すなわち、ユーザ端末ＵＥ１は、下りリンクで送信電力制御情報を受信するタイミング、ＣＡＺＡＣ系列及び周波数ブロックの３つの情報から、どの初回送信パケットに対する送信電力制御情報を受信したかを認識することができる。したがって、上記ではユーザ端末ＵＥ１に対して制御を行うと記載したが、Ｎｏｎ−ｓｅｒｖｉｎｇセルでは、どのユーザ端末がどのＣＡＺＡＣ系列を用いているかを認識することなく、各系列に対して送信電力制御情報を生成する。一方、ユーザ端末では、どのセルがＳｅｒｖｉｎｇセルであるかＮｏｎ−ｓｅｒｖｉｎｇセルであるかを認識した上で、上記送信電力制御情報を復調し、送信電力制御情報に基づいて制御を行う。
【００３８】
このように、送信電力制御情報には、ＣＡＺＡＣ系列と、周波数ブロックと、送信電力を下げるか否かを示す情報（ＤＯＷＮ又はＤＴＸ）とが含まれる。なお、送信電力制御情報を送信するチャネル（Ｒｅｌａｔｉｖｅ  Ｇｒａｎｔ  Ｃｈａｎｎｅｌ）を上りリンクの各周波数ブロックに対応させて多重する場合には、送信電力制御情報に周波数ブロックが含まれなくてもよい。
【００３９】
なお、Ｓｅｒｖｉｎｇセルの基地局も、再送要求時に送信電力制御情報を送信してもよい。この場合には、Ｅ−ＤＣＨで用いられているＵＰ信号、ＤＴＸ信号及びＤＯＷＮ信号の３つの種類の中から１つを選択してもよい。
【００４０】
＜Ｒｅｌａｔｉｖｅ  Ｇｒａｎｔ  Ｃｈａｎｎｅｌの多重方式＞
図６のＳ１０７において送信電力制御情報を送信するチャネルを多重する方式について、図８を参照して更に詳細に説明する。
【００４１】
送信電力制御情報（Ｒｅｌａｔｉｖｅ  Ｇｒａｎｔ）を送信するチャネルを、Ｒｅｌａｔｉｖｅ  Ｇｒａｎｔ  Ｃｈａｎｎｅｌと呼ぶ。ＯＦＤＭ（Orthogonal  Frequency  Division  Multiplexing）無線アクセスにおいて、これを他のチャネルと多重する場合、独立したチャネルとして、特定のサブキャリアに周波数多重してもよい。また、Ｌ１／Ｌ２制御チャネルに含めて送信してもよい。例えば、ＴＤＭ構成のＬ１／Ｌ２制御チャネルに含める場合を図８に示し、ＦＤＭ構成のＬ１／Ｌ２制御チャネルに含める場合を図９に示す。
【００４２】
更に、上記のように送信電力制御情報は、ＣＡＺＡＣ系列と周波数ブロックとの組み合わせに対応する数が存在するため、複数のＲｅｌａｔｉｖｅ  Ｇｒａｎｔ  Ｃｈａｎｎｅｌを多重する必要がある。Ｒｅｌａｔｉｖｅ  Ｇｒａｎｔ  Ｃｈａｎｎｅｌと他のチャネルとを周波数多重している場合に、複数のＲｅｌａｔｉｖｅ  Ｇｒａｎｔ  Ｃｈａｎｎｅｌは、時間領域で多重してもよく（時間方向のシンボルで分ける）、符号領域で多重してもよい（直交符号を乗算する）。
【００４３】
＜ユーザ端末の構成例＞
図１０は、ユーザ端末の装置構成を示す図である。ユーザ端末は、ＣＱＩ推定部１０１と、Ｎｏｎ−ｓｅｒｖｉｎｇセル決定部１０３と、Ｇｒａｎｔ判定部１０５と、ＣＱＩ推定部１０７と、ＡＣＫ／ＮＡＣＫ判定部１０９と、送信電力判定部１１１とを有する。
【００４４】
ＣＱＩ推定部１０１は、他セル（Ｎｏｎ−ｓｅｒｖｉｎｇセル）の基地局からパイロット信号を受信し、チャネル品質（ＣＱＩ：Channel  Quality  Indicator）を推定する。Ｎｏｎ−ｓｅｒｖｉｎｇセル決定部１０３は、チャネル品質の最も良いセルをＳｅｒｖｉｎｇセルと決定し、Ｓｅｒｖｉｎｇセルを除くＮ番目までのチャネル品質の良いセルをＮｏｎ−ｓｅｒｖｉｎｇセルと決定する。Ｇｒａｎｔ判定部１０５は、他セルの基地局からのＲｅｌａｔｉｖｅ  Ｇｒａｎｔ  Ｃｈａｎｎｅｌを受信し、そのＲｅｌａｔｉｖｅ  Ｇｒａｎｔ  ＣｈａｎｎｅｌがＮｏｎ−ｓｅｒｖｉｎｇセルからのものである場合に、送信電力制御情報（ＤＯＷＮ又はＤＴＸ）を読み取る。この送信電力制御情報は送信電力判定部１１１に通知され、再送パケットの送信電力の判定に用いられる。
【００４５】
ＣＱＩ推定部１０７は、自セル（Ｓｅｒｖｉｎｇセル）の基地局からパイロット信号を受信し、チャネル品質（ＣＱＩ）を推定する。ＣＱＩは送信電力判定部１１１に通知され、パケット送信時又は再送時の送信電力の判定に用いられる。
【００４６】
ＡＣＫ／ＮＡＣＫ判定部１０９は、自セルの基地局でのパケットの誤り検出結果を判定する。ＮＡＣＫの場合にはパケットを再送する必要があることを、ブロック毎に変調パターンを生成する手段に通知する。
【００４７】
送信電力判定部１１１は、パケットの送信電力を制御し、送信電力指示情報を電力増幅器に通知する。具体的には、初回送信パケットの場合には、Ｓｅｒｖｉｎｇセルの基地局から通知された送信電力に設定する。或いは、ＣＱＩ推定部１０７で推定されたＣＱＩに基づいて開ループ送信制御を用いて送信電力を決定する。再送パケットの場合には、Ｇｒａｎｔ判定部１０９から通知された送信電力制御情報（ＤＯＷＮ又はＤＴＸ）に基づいて送信電力を制御する。
【００４８】
＜基地局の構成例＞
図１１は、基地局の装置構成を示す図である。基地局は、干渉レベル測定部２０１と、Ｇｒａｎｔ生成部２０３と、変調部２０５と、多重部２０７とを有する。
【００４９】
干渉レベル測定部２０１は、周辺セルで使用されるＣＡＺＡＣ系列の情報を他セルから受け取り（又はセル設計時に予め受け取っておき）、他セルのユーザ端末からの干渉（受信電力）を測定する。Ｇｒａｎｔ生成部２０３は、干渉が閾値以上である場合にＤＯＷＮ信号を生成し、干渉が閾値未満である場合にＵＰ信号を生成する。変調部２０５は、所定の変調方式でＲｅｌａｔｉｖｅ  Ｇｒａｎｔ  Ｃｈａｎｎｅｌを変調し、多重部２０７は、他のチャネルとＲｅｌａｔｉｖｅ  Ｇｒａｎｔ  Ｃｈａｎｎｅｌとを多重する。
【００５０】
なお、本発明は、上記の実施例に限定されることなく、特許請求の範囲内において種々の変更及び応用が可能である。
【図面の簡単な説明】
【００５１】
【図１】Ｗ−ＣＤＭＡ及びＥ−ＤＣＨにおける干渉レベルを示す図
【図２】Ｅ−ＵＴＲＡにおける干渉レベルを示す図
【図３】Ｅ−ＵＴＲＡにおける上りリンクの再送制御を示す図
【図４】ＳｅｒｖｉｎｇセルとＮｏｎ−ｓｅｒｖｉｎｇセルとを示す図
【図５】ユーザ端末からの初回送信パケットに基づいてＮｏｎ−ｓｅｒｖｉｎｇセルが干渉電力を測定する手順を示す図
【図６】Ｎｏｎ−ｓｅｒｖｉｎｇセルからの通知に従って再送パケットの送信電力を制御する手順を示す図
【図７】送信電力制御手順を時間軸上に示す図
【図８】Ｒｅｌａｔｉｖｅ  Ｇｒａｎｔ  Ｃｈａｎｎｅｌの多重方式（ＴＤＭ型）を示す図
【図９】Ｒｅｌａｔｉｖｅ  Ｇｒａｎｔ  Ｃｈａｎｎｅｌの多重方式（ＦＤＭ型）を示す図
【図１０】ユーザ端末の装置構成を示す図
【図１１】基地局の装置構成を示す図
【符号の説明】
【００５２】
ＢＳ  基地局
ＵＥ１、ＵＥ２、ＵＥ３  ユーザ端末
１０１  パイロットチャネルを用いたＣＱＩ推定部
１０３  Ｎｏｎ−ｓｅｒｖｉｎｇセル決定部
１０５  Ｇｒａｎｔ判定部
１０７  パイロットチャネルを用いたＣＱＩ推定部
１０９  下りデータチャネルに対するＡＣＫ／ＮＡＣＫ判定部
１１１  送信電力判定部
２０１  干渉レベル測定部
２０３  Ｇｒａｎｔ生成部
２０５  変調部
２０７  多重部
【図１】
2008092376.tif 000003
【図２】
2008092376.tif 000004
【図３】
2008092376.tif 000005
【図４】
2008092376.tif 000006
【図５】
2008092376.tif 000007
【図６】
2008092376.tif 000008
【図７】
2008092376.tif 000009
【図８】
2008092376.tif 000010
【図９】
2008092376.tif 000011
【図１０】
2008092376.tif 000012
【図１１】
2008092376.tif 000013